(57)【要約】      （修正有）【課題】別に手で抑えなくても良い梱包バンドを簡単に対象物品に縛ることができる梱包バンドの簡易バンド縛り具を提供する。【解決手段】座台１０は、中央部に第一バンド穴１１及び第二バンド穴１２を持ち、上表面に雌定位塊１４を持つ。第一挟み棒２０は、一端に軟性連続片２１が連接され、軟性連続片２１の別端は座台１０の後側面に連接され、その別端に雄定位塊２２を持つ。第二挟み棒３０は、一端に軟性連接片３１が連接され、軟性連接片３１の別端は座台１０の後側面に連接されている。第一挟み棒２０は、軟性連接片２１の作用により座台１０の上表面におし付けられて梱包バンドの前端を挟み付ける。定位塊２２が雌定位塊１４の中に押しこまれて、梱包バンドの前端がゆるまないように固定される。梱包バンドの両端が相互に反対方向に引っ張られると、梱包バンドは対象物品の周囲に固く縛られる。【選択図】図１
0003109084.tif 000002
【実用新案登録請求の範囲】
【請求項１】
中央部に少なくともバンド穴を持ち、上表面に適当な個所に設けられている定位塊を持つ座台と、
一端に軟性連続片が連接され、前記軟性連続片の別端は前記座台の後側面に連接され、その別端に雄定位塊を持つ第一挟み棒と、
一端に軟性連接片が連接され、軟性連接片の別端は前記座台の後側面に連接され、前記第一挟み棒と平行に設置されている第二挟み棒とを備える梱包バンドの簡易バンド縛り具において、
前記第一挟み棒は軟性連接片の作用により前記座台の上表面の上におし付けられて前記座台の前記バンド穴の下から上に引き上げられる梱包バンドの前端を挟み付け、前記第一挟み棒の前記定位塊が前記座台の雌定位塊の中に横向きに押しこまれて、前記梱包バンドの前端がゆるまないように固定され、前記第二挟み棒は前記梱包バンドの後端が引っ掛けられて、前記第一挟み棒との間に前記梱包バンドが通過可能な間隙を形成し、前記梱包バンドの両端が力を入れて相互に反対方向に引っ張られると、前記梱包バンドは対象物品の周囲に固く縛られるように構成されていることを特徴とする梱包バンドの簡易バンド縛り具。
【請求項２】
前記座台の雌定位塊は、前記第一挟み塊の前記雄定位塊が横向きにさしこまれる定位溝を持つことを特徴とする請求項１記載の梱包バンドの簡易バンド縛り具。
【請求項３】
前記座台は、中央部の両側に各バンド穴を持つことを特徴とする請求項１記載の梱包バンドの簡易バンド縛り具。
【請求項４】
前記座台は、前記第一挟み棒と前記第二挟み棒と相対する上下表面に梱包バンドと垂直に交叉するように設置されている複数の滑り止め条紋を持つことを特徴とする請求項１記載の梱包バンドの簡易バンド縛り具。
【請求項５】
前記第一挟み棒と前記第二挟み棒は、上下表面に梱包バンドと垂直に交叉するように設置されている複数の滑り止め条紋を持つことを特徴とする請求項１記載の梱包バンドの簡易バンド縛り具。
【考案の詳細な説明】
【技術分野】
【０００１】
本考案は、梱包バンドを簡単に手工で対象物品に縛られるバンド縛り具に関する。
【背景技術】
【０００２】
従来、物品に梱包バンドを手で縛れる簡単な縛り具は、通常、座台とその上に二本の挟み棒を連結し、梱包バンドを物品の周囲に巻き付けてから、バンドの両端を各別に二本の挟み棒の上に掛けて座台の上に押し付けて、バンドの両端を反対方向に引っ張って物品に梱包バンドを縛り付ける。
【０００３】
しかし、従来の梱包バンドの簡易バンド縛り具は、挟み棒に何らかのバンド定位構造がなく、バンドの前端を第一挟み棒に掛けたあと、後端を第二挟み棒に掛ける際に、使用者は同時にすでにバンドを掛けてある第一挟み棒を座台の上に押さえ付けなければならない。さもなければ、第一挟み棒がゆるんで、バンドが離れてしまう。そうなれば、梱包バンドをもう一度第一挟み棒に掛けなければならない不便がある。
【考案の開示】
【考案が解決しようとする課題】
【０００４】
そこで、従来の簡易縛り具の第一挟み棒に定位できる構造を具備させて、別に手で押さえなくてもいいように改良することが必要である。
【課題を解決するための手段】
【０００５】
本考案は、従来の梱包バンドの簡易バンド縛り具の欠点を改良する為に、座台に梱包バンドの両端を通す二個のバンド穴をあけておき、第一挟み棒の前端に雄定位塊を付けて、更に座台の上表面の第一挟み棒の雄定位塊と相応する個所に雌定位塊を設置して、この雌定位塊に雄定位塊が横向きにさしこまれる定位溝を設けて、第一挟み棒が座台の上表面に梱包バンドをかけられておし付けられる時に、第一挟み棒が固定されるようにし、それで、梱包バンドの前端を動かないようにする。後端を第二挟み棒にひっかけて同じように座台の上表面におさえ付けてから、梱包バンドの両端を相互反対の方向に引っ張れば、梱包バンドが対象物品の周囲を簡単に固く得ることができるようになる。更に、梱包バンドがおさえ付けられる時に滑らないようにする為に、座台の上下表面に梱包バンドと垂直方向に交叉する複数の条紋を付け、更に、第一挟み棒と第二挟み棒の上下表面にも同様な条紋を設置しておく。
【０００６】
本考案の第一挟み棒と第二挟み棒は、梱包バンドの両端がひっかけられている時、まず第一挟み棒が梱包バンドの前端をひっかけられて座台の上表面におさえられる時に、第一挟み棒の雄定位塊が座台の雌定位塊の定位溝の中に横向きにさしこまれて、第一挟み棒を手でしっかりおさえなくても固定されるから、次に、第二挟み棒を動かし、梱包バンドの後端をその上にひっかけてから、座台の上表面におし付ける作業が簡単に操作できる。又、座台と第一挟み棒と第二挟み棒とをひっかけて座台の上表面におし付ける時は、この三者の上下表面に設けてある滑り止め条紋が梱包バンドと接触するので、それをすべり動かさない作用がある。
【考案を実施するための最良の形態】
【０００７】
本考案の一実施例による梱包バンドの簡易縛り具は、図１と図２とが示すように、座台１０と、第一挟み棒２０と、第二挟み棒３０とで構成されている。
座台１０は、ほぼ矩形にして、中央部の両側に平行に各第一バンド穴１１と第二バンド穴１２を持ち、表面１３の第一バンド穴１１の前端に雌定位塊１４を固設し、雌定位塊１４には第一バンド穴１１と向かいあう横向きの定位溝１４１をあけておく。更に、上下表面１３の両側に各複数の滑り止め条紋１５が各第一バンド穴１１と第二バンド穴１２の近くに梱包バンドと垂直方向に交叉するように設けられている。
【０００８】
更に、第一挟み棒２０は、後端が軟性連結片２１と連結し、軟性連結片２１の別端は座台１０の後側壁と連結されていて、それで、第一挟み棒２０は軟性連結片２１の作用で座台１０の表面１３に押し付けられたり、引き離されたりすることができる。又、第一挟み棒の前端には雄定位塊２２が付設され、横向きに座台１０の雌定位塊１４の定位溝１４１の中にはまりこめる。その外、第一挟み棒２０の上下表面に梱包バンド４０と垂直方向に交叉する複数の滑り止め条紋２３が設けられている。
【０００９】
第二挟み棒３０は、第一挟み棒２０と同じように後端が軟性連結片３１と連結し、軟性連結片３１の別端は座台１０の後側壁と連結していて、それで、第二挟み棒３０は軟性連結片３１の作用で座台１０の表面１３に押え付けられたり、離されたりできる。更に、第二挟み棒３０は第一挟み棒２０と平行に設置され、相互の間にある間隔ａを持たせて、梱包バンドが通過できるようにする。その外、第二挟み棒３０は、上下表面に梱包バンド４０と垂直方向に交叉する複数の滑り止め条紋が設けられている。
【００１０】
次に図３と図６とを参考に見る。本実施例の梱包バンドの簡易バンド縛り具を使用する時は、使用前に、先に梱包バンド４０を対象物品４０の周囲に捲き付ける。次に、バンドの一端を環状部４１に捲いて座台１０の第一バンド穴１１の下から上に押し通し、第一挟み棒２０を座台１０の上表面１３の上の適当な個所に押し下げて、梱包バンドの一端の環状部４１を第一挟み棒２０の上に掛けておき、更に、図４に示すように、第一挟み棒２０の定位塊２２を座台１０の定位塊１４の定位溝１４１の中に押しこみ、第一挟み棒２０とその上に掛けられている梱包バンド４０は一緒に座台１０の上に定位する。それで、第一挟み棒２０と梱包バンド４０がゆるむことが防止される。次に、梱包バンド４０の別の一端を環状部４２に捲いておいて座台１０の第二バンド穴１２の下から上の方にさし通してから、第二挟み棒３０を座台１０の上表面１３の上に適当な個所に押し下ろして環状部４２を第二挟み棒３０の上に掛けておく。最後に、図５と図６が示すように、梱包バンド４０の両端を同時に反対方向に力強く引っ張って、対象物品５０を固く縛り付ける。それで、縛り作業が完了する。
【００１１】
本実施例は、次の効果を持っている。
１．座台１０の上下表面１３に設けられている滑り止め条紋１５と、第一挟み棒２０及び第二挟み棒３０の上下表面に設けられている滑り止め条紋２３及び滑り止め条紋３２と梱包バンド４０が固く縛られる時に相互接触して、梱包バンド４０のゆるむことが防止されるので、対象物品を縛り付ける効果が極めて良好である。
【００１２】
２．第一挟み棒２０の雄定位塊２２は座台１０の雌定位溝１４１の中にさしこまれて、それで、梱包バンド４０の前端が固く挟まれるので、その後の作業が順調に進行できる効果がある。
【図面の簡単な説明】
【００１３】
【図１】本考案の一実施例による梱包バンドの簡易バンド縛り具を示す斜視図である。
【図２】本考案の一実施例による梱包バンドの簡易バンド縛り具の第一挟み棒が座台に定位されている状態を示す斜視図である。
【図３】本考案の一実施例による梱包バンドの簡易バンド縛り具の第一挟み棒に梱包バンドを掛けた状態を示す斜視図である。
【図４】本考案の一実施例による梱包バンドの簡易バンド縛り具の第二挟み棒に梱包バンドを掛けた状態を示す斜視図である。
【図５】本考案の一実施例による梱包バンドの簡易バンド縛り具で梱包バンドを縛る状態を示す斜視図である。
【図６】本考案の一実施例による梱包バンドの簡易バンド縛り具で梱包バンドを対象物に縛る状態を示す斜視図である。
【符号の説明】
【００１４】
１０  座台、１１  第一バンド穴、１２  第二バンド穴、１３  座台表面、１４  雌定位塊、１５  滑り止め条紋、２０  第一挟み棒、２１  軟性連結片、２２  雄定位塊、２３  滑り止め条紋、３０  第二挟み棒、３１  軟性連結片、４０  梱包バンド、４１  環状部、４２  環状部、１４１  定位溝
【図１】
0003109084.tif 000003
【図２】
0003109084.tif 000004
【図３】
0003109084.tif 000005
【図４】
0003109084.tif 000006
【図５】
0003109084.tif 000007
【図６】
0003109084.tif 000008